(57)【特許請求の範囲】
【請求項１】
照明ストリップであって、
前記照明ストリップの長さ方向に延在し、前記照明ストリップの幅方向に薄い縁端部から厚い縁端部へテーパーがついているテーパー部分を持つ光導波路と、
前記光導波路に組み込まれ、前記光導波路内へ前記長さ方向に光を発するよう構成される少なくとも１つの固体照明素子と、
発せられた前記光を前記テーパー部分の前記薄い縁端部へ向け直すための、前記テーパー部分の前記厚い縁端部上の光散乱パターンとを有する照明ストリップ。
【請求項２】
各々が前記長さ方向に向かい合わせの出射面を持つ散乱キャビティを有する複数の凹部を更に有し、各固体照明素子が、前記散乱キャビティのうちの１つの中に配置される請求項１に記載の照明ストリップ。
【請求項３】
各固体照明素子が、前記散乱キャビティの方へ、前記幅方向及び前記長さ方向に対して垂直な方向に光を発するよう構成される請求項２に記載の照明ストリップ。
【請求項４】
前記少なくとも１つの固体照明素子が、前記光導波路の前記長さ方向の端部に白色光固体照明素子を有する請求項１に記載の照明ストリップ。
【請求項５】
前記少なくとも１つの固体照明素子が、前記光導波路の前記長さ方向の両端部に対の白色光固体照明素子を有する請求項４に記載の照明ストリップ。
【請求項６】
前記少なくとも１つの固体照明素子が、前記光導波路の前記長さ方向の端部に固体照明素子の第１グループを有し、前記第１グループが、異なる色の光を発するための固体照明素子を有する請求項１に記載の照明ストリップ。
【請求項７】
前記少なくとも１つの固体照明素子が、前記光導波路の前記長さ方向の両端部に固体照明素子の第１グループ及び第２グループを有し、前記第１グループ及び前記第２グループの各々が、異なる色の光を発するための固体照明素子を有する請求項６に記載の照明ストリップ。
【請求項８】
前記光導波路が、対の前記テーパー部分であって、前記対の前記薄い縁端部が互いに面するように構成される対の前記テーパー部分を有する請求項１乃至７のいずれか一項に記載の照明ストリップ。
【請求項９】
前記光導波路が、対の前記テーパー部分であって、前記対の前記厚い縁端部が互いに面するように構成される対の前記テーパー部分を有する請求項１乃至７のいずれか一項に記載の照明ストリップ。
【請求項１０】
前記光導波路の少なくとも一部を覆う反射素子を更に有する請求項１乃至５のいずれか一項に記載の照明ストリップ。
【請求項１１】
前記光散乱パターンが、塗料のドットのパターンを有する請求項１乃至１０のいずれか一項に記載の照明ストリップ。
【請求項１２】
請求項１乃至１１のいずれか一項に記載の照明ストリップを少なくとも１つ含む照明システム。
【請求項１３】
前記照明システムが、複数の前記照明ストリップを有し、前記照明システムが、入射日光、部屋のレイアウト及び部屋の占有のうちの少なくとも１つの関数として個々の照明ストリップの光出力を設定するための制御装置を更に有する請求項１２に記載の照明システム。
【請求項１４】
請求項１乃至１１のいずれか一項に記載の照明ストリップを有するモジュール式パネルシステムのためのパネル支持素子。
【請求項１５】
建築構造物に取り付けるための支持部材、及び支持部材間に延在するためのパネル支持素子を有する支持格子と、
前記支持格子によって支持されるために必要な大きさを持つ複数のパネルとを有するモジュール式パネルシステムであって、
前記支持格子が、請求項１乃至１１のいずれか一項に記載の照明ストリップを複数有するモジュール式パネルシステム。
【発明の詳細な説明】
【技術分野】
【０００１】
本発明は、照明ストリップに関する。
【０００２】
本発明は、更に、このような照明ストリップを有する照明システムに関する。
【０００３】
本発明は、更に他に、このような照明ストリップを有する支持素子に関する。
【０００４】
本発明は、更に他に、このような照明ストリップを有するモジュール式パネルシステムに関する。
【背景技術】
【０００５】
今日では、発光ダイオード（ＬＥＤ）などの固体照明素子が、高い光出力、低いエネルギ消費量及び長い寿命などのそれらの魅力的な特性により、多くの用途を開拓している。例えば、高い光出力は、特に、固体照明素子が、固体照明素子の出力を大きな領域にわたって分散させる光導波路と組み合わされる場合に、限られた数の固体照明素子によって大きな領域を照明することを可能にする。
【０００６】
固体照明素子のコストのため、照明製品を商業的に魅力的にするために、最小限の数の固体照明素子で十分な照明レベルを達成する動機がある。しかしながら、これは、簡単な課題ではない。なぜなら、所望の光分布プロファイルを達成するために必要である光導波路などの光学素子による損失の発生を防止することは決して些細なことではないからである。
【０００７】
異なる用途は、異なるタイプの光分布を必要とする。例えば、つり天井などのモジュール式パネルシステムにおいては、グレアの発生を防止するために非常に拡散する性質の光を生成することが望ましいかもしれない。他方で、例えば、台所、書庫又は読書室における、棚の下の照明又はキャビネットの下の照明などの家庭内用途においては、よりコリメートされた性質の光を生成することが望ましいかもしれない。
【０００８】
本願出願人によるWO 2012/131636は、モジュール式パネルシステムのパネル支持素子の中又は上に取り付けるための固体照明ストリップを開示している。ストリップは、複数の固体照明素子と、光抽出層と、グレア削減層とを有する。固体照明素子は、前記素子によって発せられる光が、光抽出層を介してグレア削減層内へ結合されるように、構成される。固体照明ストリップは、照明システム、パネル支持素子及びモジュール式パネルシステムの一部として用いられ得る。
【０００９】
この照明ストリップは、固体照明ストリップによる均一な出力を確実にするために光抽出層に沿って規則正しい間隔をおいて配置される低出力側面放射固体照明素子、例えば、側面放射ＬＥＤ用にとりわけ適している。しかしながら、この解決策は、最小限の数の固体照明素子を用いてコリメート光出力を生成するのにはあまり適さず、それ故、例えば、このようなコリメーションが望ましい用途、例えば、棚の下の照明又はキャビネットの下の照明のための照明ストリップにおける使用にはあまり魅力的ではない。
【発明の概要】
【発明が解決しようとする課題】
【００１０】
本発明は、均一で、相対的にコリメートされた光出力を得るために必要とされる固体照明素子の数が削減される照明ストリップを提供しようとするものである。
【００１１】
本発明は、更に、このような改善された照明ストリップを有する照明システムを提供しようとするものである。
【００１２】
本発明は、更に他に、このような改善された照明ストリップを有する支持素子を提供しようとするものである。
【００１３】
本発明は、まだ更に、このような改善された照明ストリップを有するモジュール式パネルシステムを提供しようとするものである。
【課題を解決するための手段】
【００１４】
本発明の或る態様によれば、照明ストリップであって、前記ストリップの長さ方向に延在し、前記ストリップの幅方向に薄い縁端部から厚い縁端部へテーパーがついているテーパー部分を持つ光導波路と、前記光導波路に組み込まれ、前記光導波路内へ前記長さ方向に光を発するよう構成される少なくとも１つの固体照明素子と、発せられた前記光を前記テーパー部分の前記薄い縁端部へ向け直すための、前記テーパー部分の前記厚い縁端部上の光散乱パターンとを有する照明ストリップが提供される。
【００１５】
この照明ストリップは、テーパー部分、例えば、楔形部分と、前記楔形又はテーパー部分の前記厚い縁端部又は側壁上の適切な光散乱パターンとの組み合わせが、１つ以上の前記固体照明素子が、前記光導波路の長さ方向に、即ち、前記光導波路の前記幅方向に対して垂直な方向に、光を生成することを確実にすることによって、例えば、前記光導波路のそばに規則正しい間隔で配設される固体照明素子を持つ照明ストリップと比べて、著しく少ない固体照明素子、例えば、ＬＥＤを用いて、前記照明ストリップの前記薄い縁端部から、非常にコリメートされた一様な光出力を生成するために利用されることができるという事実から利益を得る。
【００１６】
実施例においては、前記照明ストリップは、各々が前記長さ方向に向かい合わせの出射面を持つ散乱キャビティを有する複数の凹部を更に有し、各固体照明素子は、前記散乱キャビティのうちの１つの中に配置される。これには、高出力上面放射固体照明素子が、最小限の数のこのような照明素子で非常にコリメートされた均一な光出力が生成され得るように、用いられることができるという利点がある。好ましくは、各固体素子は、上面放射ＬＥＤなどの上面放射固体照明素子と同様に、前記散乱キャビティの方へ、前記幅方向及び前記長さ方向に対して垂直な光放射方向に光を発するよう構成される。
【００１７】
実施例においては、前記少なくとも１つの固体照明素子は、前記発せられた光の、前記照明ストリップの前記長さ方向への伝搬を達成するよう、前記照明ストリップの前記長さ方向の端部に白色光固体照明素子を有する。光出力を増大させるために、前記少なくとも１つの固体照明素子は、前記発せられた光の、前記照明ストリップの前記長さ方向への伝搬を達成するよう、前記照明ストリップの前記長さ方向の両端部に対の白色光固体照明素子を有してもよい。
【００１８】
必ずしも、白色光を得る必要はない。他の例においては、前記少なくとも１つの固体照明素子は、固体照明素子の第１グループを有し、前記第１グループは、異なる色を発する固体照明素子を有する。
【００１９】
実施例においては、前記異なる色は、白色光を形成するよう混ざる。
【００２０】
更に別の実施例においては、前記少なくとも１つの固体照明素子は、前記長さ方向の両端部に固体照明素子の第１グループ及び第２グループを有し、前記第１グループ及び前記第２グループの各々が、異なる色を発する固体照明素子を有する。
実施例においては、前記光導波路は、対の前記テーパー部分であって、前記対の前記薄い縁端部が互いに面するように構成される対の前記テーパー部分を有する。この構成は、前記照明ストリップの中央において高いコリメーションを達成すると共に、前記照明ストリップの熱管理が簡単になるように対向する固体照明素子を十分に分離するので、とりわけ有利である。
【００２１】
他の実施例においては、前記光導波路は、対の前記テーパー部分であって、前記対の前記厚い縁端部が互いに面するように構成される対の前記テーパー部分を有する。この構成は、前記照明ストリップの光出力の高いコリメーションがあまり重要ではない場合に、とりわけ有利である。なぜなら、この実施例は、前記照明ストリップのより審美的な外観を可能にすると共に、前記固体素子が、前記テーパー部分の前記厚い縁端部が互いに面する前記照明ストリップの中央においてより接近して一緒に詰められ得るという事実により、より少ないプリント回路基板面積しか必要としないという利点を持つからである。
【００２２】
前記照明ストリップは、前記照明ストリップの出力効率を更に改善するために、前記幅方向に延在する前記光導波路の露出されていない面をおおう鏡面反射器などの前記光導波路の少なくとも一部を覆う反射素子を更に有してもよい。
【００２３】
前記光散乱パターンは、塗料のドットのパターンを有してもよく、これは、適切な方向変更パターンが最小限のコストで作成され得るという利点を持つ。
【００２４】
本発明の他の態様によれば、本発明の照明ストリップを複数含む照明システムが提供される。前記照明システムは、入射日光、部屋のレイアウト及び部屋の占有のうちの少なくとも１つの関数として個々の照明ストリップの光出力を設定するための制御装置を更に有してもよい。これは、前記照明ストリップの出力を、例えば、通路、オフィス空間、印刷領域などの領域における、局所的なニーズに適応させること、及び／又は部屋の占有者の存在下で適応させることを可能にする。この目的のため、前記照明システムは、前記部屋内の人間の存在を検出するための存在センサを更に有してもよく、前記制御装置は、前記存在センサに応答する。
【００２５】
本発明の更に別の態様によれば、本発明の照明ストリップを有するモジュール式パネルシステムのためのパネル支持素子が提供される。前記照明ストリップは、前記支持素子に取り付けられてもよく、又は組み込まれてもよい。
【００２６】
本発明の更に別の態様によれば、建築構造物に取り付けるための支持部材、及び支持部材間に延在するための支持素子を有する支持格子と、前記支持格子によって支持されるために必要な大きさを持つ複数のパネルとを有するモジュール式パネルシステムであって、前記支持格子が、本発明の照明ストリップを複数有するモジュール式パネルシステムが提供される。前記照明ストリップは、好ましくは、前記支持素子に組み込まれる、又は取り付けられる。
【００２７】
好ましくは、前記照明ストリップの出射窓の幅と、前記支持格子における前記パネル支持素子のピッチとの間の比率は、部屋における照明レベルがグレア要件に適合することを確実にするよう、0.02乃至0.08の範囲内で選ばれる。より好ましくは、この比率は、0.04になるよう選ばれる。
【００２８】
本発明の実施例を、添付図面を参照して、非限定的な例として、より詳細に説明する。
【図面の簡単な説明】
【００２９】
【図１】散乱キャビティを有する既知の光導波路を概略的に図示する。
【図２】本発明の実施例による照明ストリップの光導波路を概略的に図示する。
【図３】本発明の別の実施例による照明ストリップの光導波路を概略的に図示する。
【図４】本発明の更に別の実施例による照明ストリップの光導波路を概略的に図示する。
【図５】本発明の実施例による照明器具及び前記照明器具の輝度のシミュレーション結果を概略的に図示する。
【図６】図５の照明器具の光出力分布のシミュレーション結果を図示する。
【図７】本発明の他の実施例による照明ストリップの光導波路を概略的に図示する。
【図８】本発明の更に他の実施例による照明ストリップの光導波路を概略的に図示する。
【図９】本発明の別の実施例による照明ストリップを含むモジュール式パネルシステムの一部を概略的に図示する。
【図１０】本発明の更に別の実施例による照明ストリップを含むモジュール式パネルシステムの一部を概略的に図示する。
【図１１】本発明の実施例によるモジュール式パネルシステムを備える部屋を概略的に図示する。
【図１２】本発明の実施例によるモジュール式パネルシステムをより詳細に概略的に図示する。
【発明を実施するための形態】
【００３０】
図は、単に概略的なものに過ぎず、縮尺通りには描かれていないことは、理解されるべきである。図の全体を通じて、同じ参照符号は、同じ又は同様のパーツを示すために用いられていることも、理解されるべきである。
【００３１】
図１は、上面放射ＬＥＤが配置される散乱キャビティ３２を含む平らな導波路３０の既知の構成を概略的に図示している。散乱キャビティ３２は、キャビティ内のＬＥＤによって発せられる光が、散乱パターン３４によって示されているようにＸ方向にしか出て行くことができないように、ＹＺ平面に出射窓を持つ。平らな導波路３０の底面は、一般に、発せられた光を導波路３０から抽出する光抽出パターンを有する。しかしながら、この構成においては、抽出光は、十分な指向性を備える所望のビーム形状を生成するためにはマイクロレンズ光学プレートなどの相対的に厚い二次光学部品が用いられる必要があるような、低いコリメーション度を持つランバート分布を持つ。
【００３２】
本発明の或る態様によれば、この問題は、光導波路がプリズムのような働きをし得るような、テーパー形状又は楔形状を備える部分を持つ光導波路を含む照明ストリップの供給によって、対処されている。固体照明素子は、光導波路を通して照明ストリップの長さ方向に光を発するよう、光導波路内に配設される。光導波路は、発せられる光の伝搬方向に対して垂直な方向に、即ち、照明ストリップの幅方向に先細になるので、伝搬光は、導波路が、所望のビーム形状を作成するために薄い二次光学部品と組み合わされることができるように、高いコリメーション度を持つテーパー部分の薄い端部において光導波路を出るよう強いられ得る。テーパー度、例えば、楔形光導波路の薄い縁端部の厚さは、光導波路を出る光のコリメーション度に影響を与えるので、テーパー度は、照明ストリップによって達成される所望のコリメーション度に従って変えられ得る。
【００３３】
このような光導波路構成の実施例は、図２に概略的に図示されている。テーパー状光導波路１２０は、ＬＥＤなどの上面放射固体照明素子１１０が配置される散乱キャビティ１１２を有する。散乱キャビティ１１２は、散乱キャビティ１１２内で散乱する光が、図２において破線矢印によって示されているように、テーパー状光導波路１２０のテーパー方向に対して垂直な方向に出て行くことができるような、２つの出射窓を有する。このような散乱キャビティ１１２は、例えば、光導波路１２０内に任意の適切な形状の孔、例えば、矩形の孔を形成し、これらの孔の中に散乱キャビティ１１２を配置することによって、実現され得る。光導波路１２０は、そのテーパー形状又は楔形状のため、厚い縁端部１２２と、薄い縁端部１２４とを有する。本願に関しては、縁端部１２２及び１２４に関して厚い及び薄いという用語は、単に、縁端部１２２が縁端部１２４より厚いことを示すために用いられているに過ぎず、これらの相対的な用語の使用から、更なる推論結果が導かれるべきではない。
【００３４】
光が、コリメートされるようにして、楔又はテーパー方向において光導波路１２０の外へ結合されるように、固体照明素子１１０によって発せられる光を光導波路１２０の薄い縁端部１２４へ向け直すよう、光導波路１２０の側面上に散乱パターン１３０が設けられる。薄い縁端部の厚さは、上で説明したように、所望のコリメーション度に従って選ばれ得る。散乱又は方向変更パターン１３０は、光導波路１２０からの均一な光出力を確実にするよう、例えば WO 2012/131636に開示されているような、光導波路１２０の横に並んだ固体照明の周期的なパターンを模倣するように設計され得る。このような適切な方向変更パターンの定義それ自体は、よく知られているので、簡潔さのために、更に詳細には説明しない。このような散乱パターン１３０は、任意の適切な方法で実現され得る。とりわけ好ましいのは、高散乱性塗料のドットパターンである。なぜなら、このような塗料のドットは、任意の適切なパターンで容易に付されるからである。
【００３５】
図２においては、光導波路１２０は、単一のテーパー部分を有する。これは非限定的な例に過ぎないと理解されるべきである。例えば、各々図３及び４において示されているように、対のこのようなテーパー部分を有する光導波路１２０が設けられてもよい。図３においては、各々のテーパー部分の薄い縁端部１２４が互いに面する。この場合には、高いコリメーション度を持つ光が、主に、光導波路１２０の中央から発せられる。これには、対向する固体照明素子１１０が、互いから相対的に遠くへ移動され、これは、相対的に大きなＰＣＢを代償にして、照明ストリップ１００の熱管理を簡単にするという利点もある。
【００３６】
図４においては、各々のテーパー部分の厚い縁端部１２２が互いに面する。この場合には、光は、主に、光導波路１２０の縁端部から発せられる。この照明ストリップ１００から発せられる光は、一般に、図３における照明ストリップからの光よりコリメートされないが、この実施例には、固体照明素子１１０が、照明ストリップ１００の中央部の近くで互いのすぐ近くに配置されることができ、従って、固体照明素子１１０が取り付けられるＰＣＢの必要とされる面積を減らし、これは、照明ストリップ１００のコストを減らすという利点がある。更に、光導波路１２０の薄い縁端部の前記配置は、より薄い照明ストリップ１００を容易にし、これは、幾つかの用途において審美的により心地よいものであり得る。
【００３７】
このようなダブル楔設計が用いられる場合、反射素子が、光導波路１２０の露出されていない面、即ち、光導波路１２０の厚い縁端部１２２から薄い縁端部１２４まで延在する先細になっていない面にわたって配置されるように、照明ストリップの設計において鏡面反射器などの反射素子を含むことは有利である場合があり、これは、ビームが光導波路１２０の平面に対して垂直な方向に光導波路１２０から発するのを促進し、光導波路１２０の、光を発するよう意図されていない面を通しての光の損失を減らす。照明ストリップ１００は、必要であれば発せられた光を向け直すために、その発光面にわたって方向変更ホイルを更に有してもよい。このような方向変更ホイルそれ自体は知られているので、簡潔さのために、これについては更に詳細には説明しない。
【００３８】
図５は、図３に示されているような導波路構成を含む照明器具又は照明ストリップ１００を概略的に図示している。図５（ａ）は、光導波路１２０のための反射性ハウジング１４０を含む側面図を示しており、図５（ｂ）は、理解しやすいように反射性ハウジング１４０が省かれている、光導波路１２０内の固体照明素子１１０の分布が示されている上面図を示しており、図５（ｃ）は、光導波路１２０の楔部分の厚い縁端部１２２に付される散乱性塗料のパターン１３０を図示しており、図５（ｄ）は、照明器具１００の計算輝度を図示しており、これから、矢印によって示されているように、非常にコリメートされた、強く、均一な出力が達成され得ることが明らかである。
【００３９】
ここで、１つ以上のテーパー部分を含む光導波路１２０の効率は、このようなテーパー部分の厚い縁端部１２２の高さと相関していることに注意されたい。増大された厚さは、光導波路１２０の効率を改善する。図５においては、約70%の効率を持つと推定される2mmの厚さが選ばれている。
【００４０】
図５の照明ストリップ１００の出力ビームの指向性は、図6においてより詳細に示されている。図6を見て分かるように、テーパー状光導波路１２０と、光導波路１２０の長さ方向に、それ故、照明器具１００の長さ方向に光を生成するよう構成される固体照明素子１１０を組み合わせることによって、高指向性出力ビームが作成され得る。完璧を期すために、前記光導波路１２０の前記方向は、一般に、照明器具１００の幅方向に対応することに注意されたい。
【００４１】
ここで、本発明による照明器具又は照明ストリップ１００は、散乱キャビティなしでも実現され得ることに注意されたい。図７及び８は、このような他の実施例を示している。図７においては、白色光生成固体素子１１０が、光導波路１２０が、その長さ方向において白色光生成固体素子１１０を分離するように、テーパー状光導波路１２０の両端部に配置される。図７は、２つの白色光生成固体素子１１０が示されている実施例を図示しているが、白色光生成固体素子１１０のうちの１つは、本発明の教示から逸脱せずに、省かれ得ることは、理解されるべきである。
【００４２】
白色光生成固体素子１１０の代わりに、図８に示されているように、異なる色を生成する固体素子１１０ａ乃至１１０ｃのグループが用いられてもよい。
異なる色は、白色光を生成するよう組み合わされてもよく、例えば、赤色光生成固体照明素子１１０ａと、緑色光生成固体照明素子１１０ｂと、青色光生成固体照明素子１１０ｃとが組み合わされてもよい。他の例においては、異なる色は、色付き光、即ち、白色ではない光を生成するよう組み合わされてもよい。当然、異なる数の固体照明素子を用いる異なる色の組み合わせも等しく実施可能である。
【００４３】
また、図８は、照明ストリップ１００の長さ方向の両端部にある異なる色を生成する固体素子１１０ａ乃至１１０ｃの２つのグループを図示しているが、これらのグループのうちの１つは、本発明の教示から逸脱せずに、省かれ得る。
【００４４】
更に、図７及び８は、光導波路１２０が単一のテーパー部分を有する実施例を図示しているが、当然、散乱キャビティ１１２内の固体照明素子１１０が図７及び８に示されているような白色光又は色付き光生成固体照明素子に置き換えられた、対の、図３及び４に示されているようなテーパー部分を含む光導波路を供給することも、等しく実施可能であることは、理解されるべきである。
【００４５】
図９は、後付け目的にとりわけ適している照明ストリップ１００の実施例を示している。照明ストリップ１００は、例えば、棚若しくは戸棚の底面に、又は他の例においては、つり天井などのモジュール式パネルシステムのパネル支持素子２１０の露出面に取り付けられる。パネル支持素子２１０は、非限定的な例として、Ｔ字状である。照明ストリップ１００は、光出射窓１４４を含む底面１４２と、Ｔ字状パネル支持素子２１０に面する上面１４８と、底面１５２から上面１５８までハウジング１５０の長さ方向に延在する側面１５６とを含むハウジング１４０を有する。二次光学素子１６０、例えば、方向変更ホイル、ビーム成形素子又はグレア削減素子が、光導波路１２０が上面１５８と二次光学素子１６０との間に位置する状態で、光出射窓１４４にわたって、取り付けられてもよく、例えば、固定されてもよい。固体照明素子１１０は、上で説明したように、照明ストリップ１００の長さ方向に光を発するように、光導波路１２０内に配設される。
【００４６】
ハウジング１４０材料は、可撓性であってもよく、例えば、プラスチック材料で作成されてもよい。ハウジング１４０は、照明ストリップ１００の光出力を最大化するよう、内面が反射性であってもよい。任意の適切な反射材料が用いられ得る。ハウジング１４０の材料が、反射性であってもよく、又はハウジング１４０の内面が、反射材料でコーティングされてもよい。更に、ハウジング１４０の上面１４８と光導波路１２０との間に反射層が存在してもよい。
【００４７】
上面１４８の外面は、棚若しくは戸棚の底面、又は他の例においては、モジュール式パネルシステム２００のパネル支持素子２１０の表面などの、受け面に照明ストリップ１００を固定するための接着剤を含み得る。他の例においては、照明ストリップ１００は、適切な締め付け具を用いて受け面に締着されてもよい。他の固定手段は、当業者には明らかであるだろう。図９における照明ストリップ１００の実施例は、パネル支持素子２１０とは別個のものとして示されているが、この実施例をパネル支持素子２１０に組み込むことも等しく実施可能であることは理解されるべきである。
【００４８】
図３は、ハウジング１４０がモジュール式パネルシステム２００の支持素子２１０のまわりの被覆を形成する照明ストリップ１００の別の実施例を示している。この実施例も、後付け目的にとりわけ適している。他の例においては、このような照明ストリップ１００は、その組み立て中に、パネル支持素子２１０に取り付けられてもよい。
【００４９】
図１１は、照明ストリップ又は照明器具１００を有するモジュール式パネルシステム、ここでは、つり天井が取り付けられた部屋の外観のシミュレーションを示している。モジュール式パネルシステムは、隣接一次支持梁間に延在する支持素子が照明器具１００で延長される状態で、照明器具１００に対して垂直に走る、一次支持梁、例えば、バンドラスタ(band raster)を持ち得る。シミュレーションは、60cmのピッチＰでパネル支持素子２１０の列を持つ天井において照明ストリップ１００が24mmの幅及び60cmの長さを持つ場合は、部屋の作業面における500luxの輝度は、各々が230lumenの光束出力を持つ照明ストリップ１００、即ち、380lumen/mのストリップ１００を持つことによって、達成され得ることを示している。
【００５０】
モジュール式パネルシステム２００の非限定的な例を図示している図１２に示されているように、モジュール式パネルシステム２００の一次支持梁２０５は、パネル支持素子２１０が一次支持梁２０５間に延在するパネル又はタイル２２０を担持する状態で、部屋の天井３００から吊り下げられる。照明器具１００は、例えば、上で説明したように、パネル支持素子２１０への組み込み、又はパネル支持素子２１０への付着によって、パネル支持素子２１０に取り付けられる。パネル支持素子２１０は、システム全体を解体せずに、例えば、天井３００からシステムを取り除かずに、モジュール式パネルシステム２００から容易に取り除かれることができるので、従来技術のパネル支持素子２１０を本発明のパネル支持素子２１０に置き換えることによって、又は既存のパネル支持素子２１０に照明器具２１０を付着させることによって、モジュール式パネルシステム２００に照明器具１００を後付することが、簡単であり、費用効果が高い。当然、本発明の照明器具１００を一次支持梁２０５に組み込むこと、又は本発明の照明器具１００を一次支持梁２０５に後付けすることも実施可能であるが、これは、パネル支持素子２１０への取り付け（又は後付け）ほど簡単ではなくなり、費用効果が高くなくなりそうである。本発明によるモジュール式パネルシステム２００の場合は、照明ストリップ１００の出射窓の幅Wとパネル支持素子２１０のピッチＰとの比率は、0.02乃至0.08の範囲内で選ばれることが好ましく、Ｗ／Ｐは、好ましくは、既に上で説明した理由のために0.04であることを重ねて強調する。
【００５１】
更に、本発明の実施例の少なくとも幾つかによる照明ストリップ１００は、照明ストリップ１００内の光学素子が、ストリップの長さ方向において対称形であるという事実により、低コストの方法で、例えば、押出技術又はロール・ツー・ロール技術を用いて、製造されることができることに注意されたい。更に、本発明の照明ストリップ１００内の電子回路は、照明ストリップ１００が、一様性を失わずに任意の長さで容易に切断されることができるように、設計され得る。
【００５２】
上記の実施例は、本発明を限定するものではなく、説明するものであって、当業者は、添付の請求項の範囲から逸脱せずに多くの別の実施例を設計することができるであろうことに注意されたい。請求項において、括弧内に配置されるいかなる参照符号も、請求項を限定するものとして解釈されるべきではない。「有する」という用語は、請求項において挙げられている要素又はステップ以外の要素又はステップの存在を除外するものではない。要素の単数形表記は、このような要素が複数存在することを除外するものではない。本発明は、幾つかの別個の要素を有するハードウェアによって実施され得る。幾つかの手段を列挙している装置の請求項においては、これらの手段のうちの幾つかは、ハードウェアの全く同一のアイテムによって実施され得る。単に、特定の手段が、相互に異なる従属請求項において引用されているという事実は、これらの手段の組み合わせが有利になるように用いられることができないことを示すものではない。
【図１】
0006416775.tif 000002
【図２】
0006416775.tif 000003
【図３】
0006416775.tif 000004
【図４】
0006416775.tif 000005
【図５】
0006416775.tif 000006
【図６】
0006416775.tif 000007
【図７】
0006416775.tif 000008
【図８】
0006416775.tif 000009
【図９】
0006416775.tif 000010
【図１０】
0006416775.tif 000011
【図１１】
0006416775.tif 000012
【図１２】
0006416775.tif 000013